(57)【要約】【課題】簡単かつ衛生的に犬の糞の後始末を行うことができる犬の糞取り具を提供すること。【解決手段】底板１と、底板１に蝶番部５を介して開閉可能に連結した蓋体２と、蓋体２を開いた状態で底板１及び蓋体２上に粘着面を上にして載置する片面粘着シート３と、先端を蓋体２に回動可能に連結した操作棒４とを有し、操作棒４の操作により蓋体２を開閉可能とした。【選択図】図１
2006025694.tif 000002
【特許請求の範囲】
【請求項１】
底板と、底板に蝶番部を介して開閉可能に連結した蓋体と、蓋体を開いた状態で底板及び蓋体上に粘着面を上にして載置する片面粘着シートと、先端を蓋体に回動可能に連結した操作棒とを有し、操作棒の操作により蓋体を開閉可能とした犬の糞取り具。
【請求項２】
操作棒の先端は蓋板の開放端側に設けた連結部に連結されており、連結部は、操作棒の回動を許容する回動位置と操作棒の回動を拘束する回動拘束位置とを有し、操作棒の先端が回動位置と回動拘束位置のそれぞれの位置に移動可能である請求項１に記載の犬の糞取り具。
【請求項３】
底板及び蓋体は、それぞれ片面粘着シートの非粘着面を着脱可能に吸着する吸着部を有し、底板の吸着部の吸着力を蓋体の吸着部の吸着力より大きくした請求項１又は２に記載の犬の糞取り具。
【請求項４】
蓋体が、閉じた状態で底板の縁部と整合する縁部を有し、かつその内方に中空部を有する枠体である請求項１〜３のいずれかに記載の犬の糞取り具。
【発明の詳細な説明】
【技術分野】
【０００１】
本発明は、犬の散歩の際に携行し、糞の後始末をするときに使用する犬の糞取り具に関する。
【背景技術】
【０００２】
犬を散歩させる際、飼い主にはマナーとしてその糞の後始末をすることが求められており、従来、そのための糞取り具が種々提案されている。例えば、特許文献１や特許文献２には、飼い主が把持する柄の先端に袋を取り付け、犬が糞をするときに袋を犬の尻部の下方に置いて糞を回収するようにした糞取り具が提案されている。
【特許文献１】特開２００３−７９２６４号公報
【特許文献２】特開２００３−１５８９３７号公報
【発明の開示】
【発明が解決しようとする課題】
【０００３】
しかし、上述のような袋を利用した糞取り具では、袋が嵩張るため使用時に犬の尻部に下方に置きにくいという問題があった。また、袋の中に糞を回収した後、その袋を廃棄する際に、袋の開口部を結んで密閉する作業が必要であり、飼い主に不快感を与えると共に、衛生的にも問題があった。
【０００４】
本発明が解決しようとする課題は、簡単かつ衛生的に犬の糞の後始末を行うことができる犬の糞取り具を提供することにある。
【課題を解決するための手段】
【０００５】
本発明の犬の糞取り具は、底板と、底板に蝶番部を介して開閉可能に連結した蓋体と、蓋体を開いた状態で底板及び蓋体上に粘着面を上にして載置する片面粘着シートと、先端を蓋体に回動可能に連結した操作棒とを有し、操作棒の操作により蓋体を開閉可能としたものである。
【０００６】
このような構成とすれば、蓋体を開いた状態で底板上の片面粘着シートで犬の糞を受け、その後、操作棒を操作して蓋体を閉じることにより、犬の糞が片面粘着シートに包まれるので、犬の糞の後始末を簡単かつ衛生的に行うことができる。
【０００７】
本発明では、操作棒の先端を蓋板の開放端側に設けた連結部に連結し、この連結部に、操作棒の回動を許容する回動位置と操作棒の回動を拘束する回動拘束位置とを設け、操作棒の先端を連結部の回動位置と回動拘束位置のそれぞれの位置に移動可能とすることが好ましい。
【０００８】
この構成において、犬の糞を受けるために蓋体を開いた状態で底板を犬の尻部の下方に持って行く際には、操作棒の先端を回動拘束位置に位置させておく。これによって、底板を連結した蓋板を操作棒に対して固定することができるので、底板を犬の尻部の下方に持って行く操作が容易となる。なお、この構成において、蓋体は１８０°全開状態からそれ以上は開かないように底板に連結しておくことが好ましい。
【０００９】
また、本発明では、底板及び蓋体に、それぞれ片面粘着シートの非粘着面を着脱可能に吸着する吸着部を設け、底板の吸着部の吸着力を蓋体の吸着部の吸着力より大きくすることが好ましい。
【００１０】
このような構成とすることで、蓋体を閉じた後に再度開けると、犬の糞を包んだ片面粘着シートが底板側に残るので、後始末が容易となる。
【００１１】
さらに、本発明では、蓋体は、閉じた状態で底板の縁部と整合する縁部を有し、かつその内方に中空部を有する枠体とすることが好ましい。
【００１２】
このような構成とすることで、蓋体を閉じたときに片面粘着シートの粘着面どうしが蓋体と底板の縁部で挟まれ押圧されるので、犬の糞を確実に包むことができる。また、蓋体は中空部を有するので、犬の糞の容量が変化したとしても確実に包むことができる。
【発明の効果】
【００１３】
本発明によれば、操作棒を操作するだけで犬の糞を片面粘着シートで確実に包むことができ、従来のように糞を回収した袋を結ぶ作業等の必要がない。したがって、犬の糞の後始末を簡単かつ衛生的に行うことができる。
【発明を実施するための最良の形態】
【００１４】
以下、図面に示す実施例に基づき本発明の実施の形態を説明する。
【００１５】
図１は、本発明に係る犬の糞取り具の要部の平面図である。同図に示す犬の糞取り具は、底板１と蓋体２と片面粘着シート３と操作棒４とを有する。  底板１は、その外周には縁部１ａを有する。この縁部１ａは、底部１ｂから上方に突出して形成されており、その上面には吸着部としての自己吸着発泡体１ｃが設けられている。底板１は、使用時に犬の尻部の下方に進入させやすいように、先端が先細り状に形成されている。
【００１６】
蓋体２は、底板１と略同一形状の外形を有する枠体であり、蝶番５を介して底板１に開閉可能に連結されている。蝶番５としては、蓋体１が図１に示す１８０°全開状態からそれ以上は開かないような構造のものを使用している。この蝶番５を挟んで底板１と蓋体２は対称に配置されており、蓋体２を閉じると、蓋体２の縁部２ａが底板１の縁部１ａと整合するようになっている。また、蓋体２の中空部２ｂには長手方向に沿って、吸着部として伸縮性の自己吸着発泡体２ｃが掛け渡されている。上述の底板１及び蓋体２の大きさは、犬の大きさに応じて適宜設定する。
【００１７】
片面粘着シート３は、蓋体２を開いた状態で底板１及び蓋体２上に粘着面を上にして載置される。この片面粘着シート３は、底板１上に載置される底シート３ａと蓋体２上に載置される蓋シート３ｂとからなり、それぞれが底板１及び蓋体２と相似形を有し、底板１及び蓋体２を覆うように載置される。また、蓋シート３ｂは底シート３ａに比べ大きく形成されている。
【００１８】
片面粘着シート３を底板１及び蓋体２上に載置すると、片面粘着シート３の非粘着面側が底板１の縁部１ａ上の自己吸着発泡体１ｃ及び蓋体２の自己吸着発泡体２ｃで吸着されることによって、片面粘着シート３が底板１及び蓋体２上で位置決めされる。各自己吸着発泡体１ｃ、２ｃの吸着力は、使用時に片面粘着シート３が風等によって外れてしまわない程度の大きさで十分であり、片面粘着シート３は底板１及び蓋体２上に着脱可能に仮固定される。また、底板１側の自己吸着発泡体１ｃによる吸着力は、蓋体２側の自己吸着発泡体２ｃによる吸着力よりも大きくなるように設定されている。
【００１９】
図２は、図１のＡ−Ａ矢視図である。同図に示すように、操作棒４の先端は、蓋体２の開口端側の裏面に設けた連結部６を介して蓋体２に連結されている。連結部６は、蓋体２の裏面側に固定された基板６ａと、所定間隔をおいて基板６ａから垂下する一対の支持リブ６ｂとからなり、この一対の支持リブ６ｂに、操作棒４先端から側方に突出した支持軸４ａが軸支されている。また、基板６ａの下面には切欠き６ｃが形成されている。なお、操作棒４の長さは任意であり、伸縮可能なものを用いることもできる。
【００２０】
図３は、図１のＢ−Ｂ矢視図であり、（ａ）は操作棒４先端の支持軸４ａが回動拘束位置にある状態、（ｂ）は操作棒４先端の支持軸４ａが回動位置にある状態を示す。図３（ａ）、（ｂ）に示すように、連結部６の支持リブ６ｂには、途中で屈曲した支持溝６ｄが形成されており、この支持溝６ｄ内に操作棒４先端の支持軸４ａが装入されている。そして、操作棒４先端の支持軸４ａが図３（ａ）に示すように基端側の回動拘束位置にあるときは、操作棒４は、その先端が連結部６の基板６ａに当接するので、図に示す実線の位置から下方向の回転は規制される。一方、上方向の回転については、基板６ａの下面に切欠き６ｃが形成されているので、操作棒４が切欠き６ｃの下面に当接する位置（図３（ａ）に一点鎖線で表す位置）まで許容される。このように、操作棒４先端の支持軸４ａが回動拘束位置にあるときは、操作棒４の回動は、図３（ａ）において矢印で表す範囲内に制限される。
【００２１】
他方、図３（ｂ）に示すように、操作棒４先端の支持軸４ａが先端側の回動位置にあるときは、操作棒４の先端が連結部６の基板６ａに当接することはないので、操作棒４は自由に回動できる。
【００２２】
次に、以上の構成を有する犬の糞取り具の使用方法を説明する。
【００２３】
まず、犬が糞をしそうになったら、図４に示すように蓋体２を開いた状態で底板１及び蓋体２上に片面粘着シート３を載置し、底板１部分を犬の尻部の下方に持っていく。このとき、操作棒４先端の支持軸４ａは、図３（ａ）の回転拘束位置に位置させておく。この状態では、底板１及び蓋体２が下方に回転することはないので、底板１部分を犬の尻部の下方に持って行く操作が容易となる。また、底板１部分を地面に載置した後では、操作棒４は図３（ａ）に示したように上方向に若干回動できるので、飼い主が腰をかがめることなく、糞が終わるのを待つことができる。なお、片面粘着シート３の粘着面には、使用前は離型紙を貼っておき、使用時に離型紙を剥がすようにする。
【００２４】
犬の糞が終わったら、操作棒４を操作してその先端の支持軸４ａを図３（ｂ）の回動位置に移動させ、操作棒４を蓋体２に対して回動自在とする。そして、図５に途中過程を示すように、操作棒４を操作して蓋体２を閉じる。
【００２５】
蓋体２を完全に閉じると、図６に示すように、犬の糞は片面粘着シート３で完全に包まれる。また、蓋体２を完全に閉じた際に、片面粘着シート３の粘着面どうしが、底板１の縁部１ａと蓋体２の縁部２ａで挟まれ押圧されるので、片面粘着シート３が密封されて犬の糞を確実に包むことができる。さらに、蓋体２は中空部２ｂを有するので、犬の糞は中空部２ｂ内に収容され、その容量が変化したとしても確実に包むことができる。
【００２６】
片面粘着シート３を密封した後、蓋体２を閉じるときと逆の手順で蓋体２を開く。蓋体２を開くと、先に説明したように、底板１側の自己吸着発泡体１ｃによる片面粘着シート３への吸着力が、蓋体２側の自己吸着発泡体２ｃによる吸着力よりも大きいので、図７に示すように、犬の糞を包んだ片面粘着シート３は底板１側に残される。その後、犬の糞を包んだ片面粘着シート３を自宅等に持ち帰り処分する。
【産業上の利用可能性】
【００２７】
本発明に係る犬の糞取り具は、底板及び蓋板の大きさを変えることにより、大型犬から小型犬までの各種の犬に利用できる。
【図面の簡単な説明】
【００２８】
【図１】本発明に係る犬の糞取り具の要部の平面図である。
【図２】図１のＡ−Ａ矢視図である。
【図３】図１のＢ−Ｂ矢視図である。
【図４】本発明に係る犬の糞取り具の使用状態を示す図で、犬の尻部の下方に進入させるにあたり蓋体を開いた状態を示す平面図である。
【図５】本発明に係る犬の糞取り具の使用状態を示す図で、犬の糞を受けた後に蓋体を閉める途中過程を示す側面図である。
【図６】本発明に係る犬の糞取り具の使用状態を示す図で、蓋体を完全に閉じた状態を示す平面図及び側面図である。
【図７】本発明に係る犬の糞取り具の使用状態を示す図で、蓋体を再度開いた状態を示す平面図及び側面図である。
【符号の説明】
【００２９】
１  底板
１ａ  縁部
１ｂ  底部
１ｃ  自己吸着発泡体（吸着部）
２  蓋体
２ａ  縁部
２ｂ  中空部
２ｃ  自己吸着発泡体（吸着部）
３  片面粘着シート
３ａ  底シート
３ｂ  蓋シート
４  操作棒
４ａ  支持軸
５  蝶番
６  連結部
６ａ  基板
６ｂ  支持リブ
６ｃ  切欠き
６ｄ  支持溝
【図１】
2006025694.tif 000003
【図２】
2006025694.tif 000004
【図３】
2006025694.tif 000005
【図４】
2006025694.tif 000006
【図５】
2006025694.tif 000007
【図６】
2006025694.tif 000008
【図７】
2006025694.tif 000009